(57)【要約】【課題】机上面照度と周囲の照度差を極力小さくし、目の疲労を軽減することができ、またスイッチ操作を行い易くする。【解決手段】ベース１と、このベース１に突設された器具本体２と、一側に口金部３ａを有する平行管型で器具本体２の上端に装着した片口金蛍光ランプ３と、この蛍光ランプ３を覆い器具本体２に取り付けられるセード４とを備え、セード４を透光材料で形成した。これにより、セード４からランプ光が透過することで、デスクスタンドの周囲が照射される。このため、例えば本棚一体形机等の棚下等にも光が回り、全体が明るくなるため机上面との照度差が少なく、目の疲労が少なくなる。また、点滅動作用のスイッチ５を器具本体２上部に配置し、かつセード４とともにスイッチ５が回動可能であるので、スイッチ５の位置がわかり易くなる。【選択図】　　　　図１
2004134153.tif 000002
【特許請求の範囲】
【請求項１】
ベースと、このベースに突設された器具本体と、一側に口金部を有する平行管型で前記器具本体の上端に装着した片口金蛍光ランプと、この蛍光ランプを覆い前記器具本体に取り付けられるセードとを備えた可搬式卓上型照明器具であって、前記セードを透光材料で形成したことを特徴とする照明器具。
【請求項２】
点滅動作用のスイッチを器具本体上部に配置し、かつセードとともに前記スイッチが回動可能である請求項１記載の照明器具。
【請求項３】
セードの発光部分直下に対応しないようにベースを配置するとともに、前記セードと反対側のベースの位置から前記セード側へ器具本体を傾斜させた請求項１または２記載の照明器具。
【請求項４】
内部配線、点灯回路が配置される器具本体の部分を、外部からの光が透過する樹脂で構成した請求項１，２または３記載の照明器具。
【発明の詳細な説明】
【０００１】
【発明の属する技術分野】
この発明は、可搬式卓上型照明器具に関するものである。
【０００２】
【従来の技術】
可搬式卓上各照明器具（デスクスタンド）は本来、机上面の照度向上を狙いとするため、セードは不透過で、反射光を有効に活用しようとしている。一部の商品については、セード内部に白色塗装や銀色仕上げをした、金属反射板等を設けたものもある。
【０００３】
その従来例１を図５および図６に示す。この照明器具は、ベース５０と、このベース５０に突設された器具本体５１と、一側に口金部を有する平行管型で器具本体５１の上端に装着した片口金蛍光ランプ５２と、この蛍光ランプ５２を覆い器具本体５１にアーム５１ａを介して取り付けられるセード５３とを備えている（例えば、特許文献１参照）。セード５３はランプ光が不透過であり、かつ内部には金属反射板５４が取り付けられている。また、電源コンセントから、スイッチまでの配線長を極力短くしたい等の理由から、プッシュスイッチ５５が器具本体５１の下部に配置されることが多い。
【０００４】
【特許文献１】
実開平５−９０７３４号公報（段落０００２、図３）
また、従来例１と略同様の構成であるが、点灯時にデザイン上、外観を向上させ商品特徴となるようにした従来例２がある。この従来例２では、図７および図８に示すように、セード５３の上面または一部分からランプ光が抜けるようにスリット５７が形成されている。
【０００５】
また、従来例１，２では、器具本体５１がベース５０より突設されるとともに、セード５３側に回動自在のアーム５１ａを有する構成であるが、図９および図１０に示す従来例３のように、ベース５０とセード５３間をアーム５１ａのみで構成したものもある（例えば、特許文献２参照）。
【０００６】
【特許文献２】
特開平７−２７２５１１号公報（段落０００７、図１）
【０００７】
【発明が解決しようとする課題】
しかしながら、上記の従来例では、セードからランプ光が透過しないので、机上面照度と周囲の照度差が大きくなり、目の疲労の原因になるという問題があった。また、スイッチが器具本体の下部にあるので、机上のもので誤操作されることがあり、スイッチ操作が行い難かった。
【０００８】
また、器具本体の組立作業について、例えば従来例１では、器具本体５１に点灯装置、スイッチなどが組み込まれており、内部配線５８により、結線されている。多くの場合、器具本体５１は複数部品の組み合わせで形成されているため組立作業中に内部配線５８を部品に挟んでしまい、使用中の断線を引き起こす可能性があった。
【０００９】
さらに、例えば従来例３のように、セード５３の照射部直下にベース５０があるため、書類等を読む場合、ベース５０が邪魔となり、机上のスペースを有効に活用できなかった。
【００１０】
したがって、この発明の目的は、机上面照度と周囲の照度差を極力小さくし、目の疲労を軽減することであり、またスイッチ操作を行い易くし、ランプ光を有効に利用し、器具生産工程において内部結線が確認できる照明器具を提供することである。
【００１１】
【課題を解決するための手段】
上記課題を解決するためにこの発明の請求項１記載の照明器具は、ベースと、このベースに突設された器具本体と、一側に口金部を有する平行管型で前記器具本体の上端に装着した片口金蛍光ランプと、この蛍光ランプを覆い前記器具本体に取り付けられるセードとを備えた可搬式卓上型照明器具であって、前記セードを透光材料で形成した。
【００１２】
このように、セードを透光材料で形成したので、セードからランプ光が透過することで、デスクスタンドの周囲が照射される。このため、例えば本棚一体形机等の棚下等にも光が回り、全体が明るくなるため机上面との照度差が少なく、目の疲労が少なくなる。
【００１３】
請求項２記載の照明器具は、請求項１記載の照明器具において、点滅動作用のスイッチを器具本体上部に配置し、かつセードとともに前記スイッチが回動可能である。このように、点滅動作用のスイッチを器具本体上部に配置し、かつセードとともにスイッチが回動可能であるので、スイッチの位置がわかり易く、机上近くにある従来のタイプよりも書類等の机上のものによる誤操作の可能性が少ない。また、スイッチにＯＮ／ＯＦＦ等の表示を設けた場合、セードの姿勢を変えずに、器具本体、ベースを回転させても表示の向きが変わらないため、視認性に優れる。
【００１４】
請求項３記載の照明器具は、請求項１または２記載の照明器具において、セードの発光部分直下に対応しないようにベースを配置するとともに、前記セードと反対側のベースの位置から前記セード側へ器具本体を傾斜させた。このように、セードの発光部分直下に対応しないようにベースを配置するとともに、セードと反対側のベースの位置からセード側へ器具本体を傾斜させたので、セード発光部分直下にベースがないことにより書類等の邪魔にならず、ランプ光が有効に利用できる。
【００１５】
請求項４記載の照明器具は、請求項１，２または３記載の照明器具において、内部配線、点灯回路が配置される器具本体の部分を、外部からの光が透過する樹脂で構成した。このように、内部配線、点灯回路が配置される器具本体の部分を、外部からの光が透過する樹脂で構成したので、組立工程において器具本体に外部から光を照射すると、器具本体を透過して内部の配線状況がわかる。このため、配線の挟み込み等が本体組立後に確認でき、信頼性の高い照明器具を生産することができる。
【００１６】
【発明の実施の形態】
この発明の実施の形態を図１ないし図４に基づいて説明する。図１はこの発明の実施の形態の照明器具を示す分解斜視図、図２はこの発明の実施の形態の照明器具の断面正面図、図３（ａ）は図２の一部省略した平面図、（ｂ）は図２のセード部分の底面図である。
【００１７】
図１〜３に示すように、この可搬式卓上型照明器具は、ベース１と、このベース１に突設された器具本体２と、一側に口金部３ａを有する平行管型で器具本体２の上端に装着した片口金蛍光ランプ３と、この蛍光ランプ３を覆い器具本体２に取り付けられるセード４とを備えている。蛍光ランプ３は、複数本のガラス管体３ｂを平行に列設し、そのガラス管体３ｂの軸方向がセード４の前端部から後端部にわたる方向と直交するように配置されている。
【００１８】
セード４は乳白色の透光材料、例えばアクリル樹脂で構成されており、蛍光ランプ３は直接見えないが、ランプ光はセード４上部へ配光される。このセード４は下側が開口しており、蛍光ランプ３の口金部３ａに対応する側縁部には筒形部４ａが形成されている。器具本体２は、後述の内部配線１１等を収納可能なように内部が中空となり、幅または断面積は下端で最大で、上方向へ行くにつれて狭くした立体形状である。
【００１９】
また、点滅動作用のスイッチ５を器具本体２の上部に配置し、かつセード４とともにスイッチ５が回動可能である。この場合、器具本体２の最上部に鉛直軸周りに回動自在に取り付けた可動部２ａを有し、この可動部２ａの上端に押しボタン式の点灯スイッチ５を設けている。また、可動部２ａの側方に蛍光ランプ３の口金部３ａを挿入する挿入部６が一体に形成されている。この挿入部６の内部にソケット７が埋め込まれており、このソケット７に口金部３ａを差し込んで接続するようにしている。また、挿入部６の外周面にセード４の筒形部４ａを嵌合するとともに、挿入部６に爪部８を突設してセード４が取り付けられる。この場合、筒形部４の内周面に周方向に沿って溝部９を設け、爪部８との係合により抜け止めされる。また、爪部８と溝部９が互いに移動可能とすることで、セード４を筒形部４ａの周方向に回動自在としている。
【００２０】
また、セード４の発光部分直下１０に対応しないようにベース１を配置するとともに、セード４と反対側のベース１の位置からセード４側へ器具本体２を傾斜させた。この場合、器具本体２は上記のような立体形状であり、その長手方向に沿った中心線が傾斜するように、底部がベース１の凹所にねじ１５で固定されている。これにより、セード４の発光部分直下１０にスペースが形成され、机上の書類、資料等がベース１に邪魔されることがないため、蛍光ランプ３の光が有効に利用できる。ベース１はスチロール樹脂等で円盤状に形成されている。また、セード４の発光部分直下１０の上記スペースを形成しても、器具本体２が倒れないようにベース１の大きさや重さを設定する。
【００２１】
また、内部配線１１、点灯回路１２が配置される器具本体２の部分を、外部からの光が透過する樹脂で構成している。この場合、器具本体２は乳白色の透光材料、例えばスチロール樹脂で構成され、通常では内部配線１１、点灯回路１２は見えないが外部から光を照射すると内部部品が影になり状況が目視できる。なお、内部配線１１は器具本体２の最上部から可動部２ａの内部を通ってソケット７に接続されるとともに、器具本体２の下部より差し込みプラグを有する電源コード１３として引き出されている。
【００２２】
図４はこの発明の実施の形態の照明器具のセードの可動範囲を示した説明図である。図４（ａ）に示すように、セード４は器具本体２の傾斜方向を向いた正規の位置から可動部２ａを中心に水平面に沿って１８０°回動する。この際、スイッチ５が器具本体２の上面にあるため、位置がわかり易く、机上近くにある従来のタイプよりも書類等の机上のものによる誤操作の可能性が少ない。また、スイッチ５にＯＮ／ＯＦＦ等の表示を設けた場合、セード４の姿勢を変えずに、器具本体２、ベース１を回転させても表示の向きが変わらないため、視認性に優れる。また、図４（ｂ）に示すように、セード４は正規の位置で筒形部４ａの周方向へ３０°回動することもできる。
【００２３】
以上のようにこの実施の形態によれば、セード４を透光材料で形成したので、セード４からランプ光が透過することで、デスクスタンドの周囲が照射される。このため、例えば本棚一体形机等の棚下等にも光が回り、全体が明るくなるため机上面との照度差が少なく、目の疲労が少なくなる。
【００２４】
また、セード発光部分直下１０にベース１がないことにより書類等の邪魔にならず、ランプ光が有効に利用できる。また、組立工程において器具本体２に外部から光を照射すると、器具本体２を透過して内部の配線状況がわかるため、配線の挟み込み等が本体組立後に確認できる。
【００２５】
【発明の効果】
この発明の請求項１記載の照明器具によれば、セードを透光材料で形成したので、セードからランプ光が透過することで、デスクスタンドの周囲が照射される。このため、例えば本棚一体形机等の棚下等にも光が回り、全体が明るくなるため机上面との照度差が少なく、目の疲労が少なくなる。
【００２６】
請求項２では、点滅動作用のスイッチを器具本体上部に配置し、かつセードとともにスイッチが回動可能であるので、スイッチの位置がわかり易く、机上近くにある従来のタイプよりも書類等の机上のものによる誤操作の可能性が少ない。また、スイッチにＯＮ／ＯＦＦ等の表示を設けた場合、セードの姿勢を変えずに、器具本体、ベースを回転させても表示の向きが変わらないため、視認性に優れる。
【００２７】
請求項３では、セードの発光部分直下に対応しないようにベースを配置するとともに、セードと反対側のベースの位置からセード側へ器具本体を傾斜させたので、セード発光部分直下にベースがないことにより書類等の邪魔にならず、ランプ光が有効に利用できる。
【００２８】
請求項４では、内部配線、点灯回路が配置される器具本体の部分を、外部からの光が透過する樹脂で構成したので、組立工程において器具本体に外部から光を照射すると、器具本体を透過して内部の配線状況がわかる。このため、配線の挟み込み等が本体組立後に確認でき、信頼性の高い照明器具を生産することができる。
【図面の簡単な説明】
【図１】この発明の実施の形態の照明器具を示す分解斜視図である。
【図２】この発明の実施の形態の照明器具の断面正面図である。
【図３】（ａ）は図２の一部省略した平面図、（ｂ）は図２のセード部分の底面図である。
【図４】この発明の実施の形態の照明器具のセードの可動範囲を示した説明図である。
【図５】従来例１の断面正面図である。
【図６】図５の一部断面側面図である。
【図７】従来例２の断面正面図である。
【図８】図７のセード部分の平面図である。
【図９】従来例３の正面図である。
【図１０】図９の側面図である。
【符号の説明】
１　ベース
２　器具本体
２ａ　可動部
３　蛍光ランプ
３ａ　口金部
３ｂ　ガラス管体
４　セード
４ａ　筒形部
５　スイッチ
１０　発光部分直下
１１　内部配線
１２　点灯回路
【図１】
2004134153.tif 000003
【図２】
2004134153.tif 000004
【図３】
2004134153.tif 000005
【図４】
2004134153.tif 000006
【図５】
2004134153.tif 000007
【図６】
2004134153.tif 000008
【図７】
2004134153.tif 000009
【図８】
2004134153.tif 000010
【図９】
2004134153.tif 000011
【図１０】
2004134153.tif 000012